(57)【要約】【課題】専用のチャージ機を設けずとも、プリペイドカードに金額チャージが可能なプリペイドカードシステムを提供する。【解決手段】プリペイドカードシステム１００は、電子式キャッシュレジスタ（ＥＣＲ）１とプリペイドカード処理装置２と現金計数機３とを備える。ＥＣＲ１は、入力された商品の販売価格を登録処理して当該取引での売上金額を演算し、売上金額の精算時にプリペイドカード４による精算が指示されると、プリペイドカード４のカード残額で精算する。このとき、現金計数機３に客が現金を投入すると、ＥＣＲ１は、この投入金額と投入金額とを合計して客からの預り金額とし、この預り金額と売上金額との差額をさらに演算する。そして、プリペイドカード処理装置２は、その差額をプリペイドカードに記録する。【選択図】図４
2017129907.tif 000002
【特許請求の範囲】
【請求項１】
入力された商品の販売価格を登録処理して当該取引での売上金額を演算する売上演算手段と、
取引に応じて順次更新される残額を保持するプリペイドカードと、
投入された現金の種類別枚数から投入金額を計数する現金計数機と、
前記売上金額の精算時に前記プリペイドカードに記録されている前記残額と前記現金計数機で計数された前記投入金額とを合計して預り金額を演算する預り金演算手段と、
前記預り金額と前記売上金額との差額を演算する精算手段と、
を備え、
前記プリペイドカードは、前記差額を当該取引で前記更新された残額として保持することを特徴とするプリペイドカードシステム。
【請求項２】
前記プリペイドカードは、前記精算手段によって演算された前記差額が磁気記録される磁気カードであることを特徴とする請求項１に記載のプリペイドカードシステム。
【請求項３】
前記プリペイドカードは、前記精算手段によって演算された前記差額記憶する電子マネーカードであることを特徴とする請求項１に記載のプリペイドカードシステム。
【請求項４】
前記電子マネーカードは、前記預り金額と前記売上金額との差額を演算する前記精算手段の機能を備えることを特徴とする請求項３に記載のプリペイドカードシステム。
【発明の詳細な説明】
【技術分野】
【０００１】
本発明は、小売店で商品を購入する際にプリペイドカードで支払いすることができるプリペイドカードシステムに関する。
【背景技術】
【０００２】
現在、多くの小売店でプリペイドカードによる支払いが可能となっている。プリペイドカードは、予め所定金額を前以て払い込むことで、その金額内で商品購入やサービスの提供等に対する支払いに用いることを可能にするものである。
【０００３】
したがって、プリペイドカードは、当初のカードの購入金額の価値から支払いの度に売上金額が減算され、プリペイドカードの残額が少なくなると、残額不足を生じて支払いができなくなる。
【０００４】
よって、従来から、特に電子マネーカードによるプリペイドカードでは、チャージ装置によりカードの所有者が新たな金額をチャージすることができるようになっている（例えば、特許文献１を参照）。
【先行技術文献】
【特許文献】
【０００５】
【特許文献１】特開２０１３−２０４１８号公報
【発明の概要】
【発明が解決しようとする課題】
【０００６】
特許文献１のチャージ装置は、交通機関で用いられるＩＣプリペイドカードに関するもので、券売機に組み込まれていたり、或いは専用機として設置されている。しかし、このチャージ装置は、ＩＣカード用挿入・放出口，紙幣用挿入・放出口，硬貨投入口，硬貨返却部及びチャージ希望料金額に応じた複数の選択ボタンを接客部に配置して、本体内にはカード処理部，紙幣処理部，硬貨処理部等を備えるために、高価であり、一店乃至数店で運営されているような小規模のプリペイドカードシステムにおいては、チャージ装置はコスト的に負担が掛り過ぎるという問題がある。
【０００７】
しかも、カード保有者にとっても、予め選択ボタンで設定されている金額でしかチャージできず、カード保有者が任意の金額でチャージすることができなかった。
【０００８】
上記課題を解決するために、本発明は、専用のチャージ機を設けずとも、プリペイドカードに金額チャージが可能なプリペイドカードシステムを提供することを目的にしている。
【課題を解決するための手段】
【０００９】
本発明によるプリペイドカードシステムは、入力された商品の販売価格を登録処理して当該取引での売上金額を演算する売上演算手段と、取引に応じて順次更新される残額を保持するプリペイドカードと、投入された現金の種類別枚数から投入金額を計数する現金計数機と、前記売上金額の精算時に前記プリペイドカードに記録されている前記残額と前記現金計数機で計数された前記投入金額とを合計して預り金額を演算する預り金演算手段と、前記預り金額と前記売上金額との差額を演算する精算手段と、を備え、前記プリペイドカードは、前記差額を当該取引で前記更新された残額として保持することを特徴としている。
【００１０】
そして、前記プリペイドカードは、前記精算手段によって演算された前記差額が磁気記録される磁気カード又は電子マネーカードの何れも用いることができる。このとき、電子マネーカードの場合は、電子マネーカードの演算処理部で前記預り金額と前記売上金額との差額を演算する構成にするとよい。
【発明の効果】
【００１１】
本発明によれば、買い物の精算時に客が現金計数機に投入した金額を客からの預り金として処理するために、カードの所有者は手軽にプリペイドカードにチャージすることができ、プリペイドカードの利便性が向上する。そして、現金計数機を利用することで専用のチャージ機が必要とせず、システムが安価となる利点がある。
【図面の簡単な説明】
【００１２】
【図１】本発明に係るプリペイドカードシステムの第１実施形態の概略説明図を示す。
【図２】図１のプリペイドカードシステムにおけるプリペイドカード処理装置の構成をブロック図で示す。
【図３】電子式キャッシュレジスタの構成をブロック図で示す。
【図４】図１のプリペイドカードシステムにおける電子式キャッシュレジスタのプリペイドカードでの精算処理時の動作を説明するフローチャートを示す。
【図５】第２実施形態でのプリペイドカードシステムの全体構成をブロック図で示す。
【図６】図５のプリペイドカードシステムの精算処理時の動作を説明するフローチャートを示す。
【発明を実施するための形態】
【００１３】
本発明の実施の形態について、図面を参照しながら説明する。
【００１４】
［第１の実施形態］
図１は、プリペイドカードが有する金銭的価値を当該カードの磁気記録部に直接記録しているプリペイドカードシステム１００の構成の一例を示す図である。同図に示されるように、本プリペイドカードシステム１００は、小売店に設置される電子式キャッシュレジスタ（ＥＣＲ）１と、このＥＣＲ１に接続されるプリペイドカード処理装置２と、現金計数機３とを備える。
【００１５】
ＥＣＲ１は、本体とキャッシュドロワ１Ａとで構成されて、客による商品購入の精算時には、商品登録キーの操作などにより入力された各商品の販売点数及び販売価格を登録して売上金額を演算し、客からの預り金で精算を行うと、その記録としてジャーナルを印字する。
【００１６】
プリペイドカード処理装置２は、ＥＣＲ１に併設して店頭に置かれて、プリペイドカード４で商品などを購入するために用いられる。プリペイドカード処理装置２には、プリペイドカードの挿入スロット６が形成されており、プリペイドカード４が差し込まれて、各種操作を行うことにより取引が行われるようになっている。
【００１７】
本実施例のプリペイドカードは、紙もしくはプラスチック等で構成され、カードの全面または一部に磁気記録部が形成されてある。この磁気記録部には、少なくとも取引に応じて順次更新される残額等の情報が磁気記録される。このようなプリペイドカード４は、プリペイドカード処理装置２に差し込まれて、売上金額の精算が行われる。
【００１８】
プリペイドカード処理装置２の内部回路構成について、図２を参照して説明する。図２に示すように、各種演算や各部の制御を行うＣＰＵ（中央処理装置）２１には、バス２２を介して、ＲＯＭ２３、ＲＡＭ２４、読取回路２５、書込回路２６、カード搬送装置２７、通信インターフェース２８が接続されている。
【００１９】
ＲＯＭ２３は、ＣＰＵ２１において演算されるプログラム等を格納しておく読み出し専用メモリである。
【００２０】
ＲＡＭ２４は、上記プログラムが処理される過程で各種データが一時的に格納される随時書き込み読み出し可能なメモリである。
【００２１】
読取回路２５は、プリペイドカード４の磁気記録部から読取ヘッド２５ａを介して読み取られた情報をディジタルデータに変換してＣＰＵ２１へ供給する。
【００２２】
書込回路２６は、書込ヘッド２６ａを介してプリペイドカード４の磁気記録部に書き込むようになっている。
【００２３】
プリペイドカード搬送装置２７は、スロット６に挿入されたプリペイドカード４を内部の所定の位置まで搬送すると共に、所定の処理が行われたカード４をスロット６から排出させるための装置である。また、プリペイドカード処理装置２には、図示しないが、内部に金額情報が記録されていない無垢のカードを多数収納しており、プリペイドカードの新規発行時には、このカードの磁気記録部に金額情報を書き込んで、カード搬送装置２７によってスロット６から送出する。
【００２４】
現金計数機３は、まとまった量の紙幣や硬貨の合計金額を計数する機器であって、紙幣や硬貨のその金種別の枚数を計数することで金種別の金額を算出し、これらを総計することで合計金額を演算する。この場合、金種別の枚数を計数するには、同種の紙幣又は硬貨を１枚ずつ直接カウントする方法や同種の紙幣又は硬貨の塊の重量からその枚数を導き出す方法が採られている。
【００２５】
このような、現金計数機３は、従来から店舗や金融機関等で種々のタイプが使用されているが、本プリペイドカードシステム１００で用いる現金計数機３は、ＥＣＲ１の近傍に設置するために、枚数を計数して金額を演算するという単機能の小型の機器が好ましい。このような単機能なタイプは、中小の小売店で広く採用されているものである。
【００２６】
図示の現金計数機３は、貨幣載置部３１に同種の紙幣又は硬貨をまとめて載置して、その種類をスイッチ部３２で指定することにより、重量を計測することで判別した紙幣又は硬貨の枚数から金額を算出して表示器３３に表示する。
【００２７】
ＥＣＲ１の内部回路構成は、図３で示すように、ＣＰＵ１１と、プログラム等が予め格納されたＲＯＭ１２と、各種のデータを書換え自在に記憶するＲＡＭ１３と、Ｉ／Ｏポート１４と、キーボードコントローラ１５と、表示コントローラ１６と、プリンタコントローラ１７等を備えている。Ｉ／Ｏポート１４には、プリペイドカード処理装置２及び現金計数機３と共に、金銭処理を行う本体に対して金銭を収容するキャッシュドロワ１Ａが接続されている。
【００２８】
ＣＰＵ１１は、上記プログラムを実行することでＥＣＲ１の主制御部を構成している。よって、主制御部は、入力された商品の販売価格を登録処理して当該取引での売上金額を演算する売上演算手段と、売上金額の精算時にプリペイドカード４に記録されている残額と現金計数機３で計数された投入金額とを合計して預り金額を演算する預り金演算手段と、前記預り金額と売上金額との差額を演算する精算手段の機能を有する。
【００２９】
キーボードコントローラ１５は、キー入力装置１９から操作されたキーに対応したキー信号を取り込むものである。
【００３０】
表示コントローラ１６は、オペレータ用表示部と客用表示部とを備えた表示器１０を制御し、表示データに対応した文字等を表示させるものである。表示器１０には、登録された商品の金額や顧客の一回の精算時における売上金額や釣銭額等が表示される。
【００３１】
プリンタコントローラ１７は、プリンタ１８を制御し、記録紙への印字や紙送りを行なわせるものである。プリンタ１８は、レシート用紙及びジャーナル用紙にデータを印字する。
【００３２】
ＥＣＲ１は、ＣＰＵ１１の制御により、商品の販売価格を入力すると、売上金額を演算して表示し、客からの預り金額による釣り銭の演算を行うと共に、商品の売上や精算の記録としてジャーナルを印字する。そして、ＥＣＲ１は、このような金銭処理において、客からの現金による預り金額はオペレータによるキー操作により入力される。
【００３３】
上記構成のプリペイドカードシステム２００において、買い物での精算時に磁気記録のプリペイドカード４を用いて精算するときのＥＣＲ１の動作の流れを図４のフローチャートに基づいて説明する。
【００３４】
精算時に、客がプリペイドカード４による決済を希望すると、オペレータがキー入力装置１９に所定のキー操作を行うことで、ＣＰＵ２１は、プリペイドカード処理装置２からのカード残額の入力を待機する（ステップＳＡ１）。
【００３５】
そして、客がプリペイドカード４をプリペイドカード処理装置２に挿入すると、プリペイドカード４がカード搬送装置２７によって取り込まれる際に、磁気記録部に記録されているカード残額が読取ヘッド２５ａで読み取られて、読取回路２５からＣＰＵ２１へ出力される。
【００３６】
カード残額の入力により（ステップＳＡ１の「ＹＥＳ」）、ＣＰＵ２１は、後に説明するチャージ指令の有無を判別し（ステップＳＡ２）、無で「ＮＯ」のときには、送信されてきたカード残額を客からの預り金額として、この預り金額と当該顧客への売上金額とを比較する（ステップＳＡ４）。
【００３７】
そして、預り残額が売上金額以上の場合には、ＣＰＵ２１は、その差額が更新されたカード残額としてプリペイドカード４に記録されるように、プリペイドカード処理装置２に対し「カード残額の更新」の制御を行なう（ステップＳＡ５）。
【００３８】
これにより、プリペイドカード処理装置２は、書込回路２６を駆動して、精算後の更新されたカード残額を書込ヘッド３８がプリペイドカードに記録する。このとき、プリペイドカード４は、カード搬送装置２６ａによってスロット６へ向けて搬送される間に記録される。
【００３９】
しかし、預り金額が売上金額未満の場合には、ＣＰＵ１１は、当該プリペイドカード４での決済は不能であることを報知する。この場合の報知は、図示しない警報装置により音声合成や警告音等で報知する（ステップＳＡ６）。
【００４０】
このような精算処理において、現金計数機３を利用して、プリペイドカードへ金額をチャージすることができる。チャージを希望する客は、プリペイドカード４をプリペイドカード処理装置２へ挿入すると共に、現金計数機３に硬貨や紙幣を投入する。このときオペレータによる所定のキー操作で発生するチャージ指令がＣＰＵ１１に入力すると（ステップＳＡ４の「ＹＥＳ」）、現金計数機３からの投入金額情報の入力を待機して、投入金額情報が入力されると、カード残額に投入金額情報を加算して（ステップＳＡ３）、ステップＳＡ４の処理に進む。よって、この場合のステップＳＡ６の処理においては、プリペイドカード４に記録されているカード残額に投入金額情報が加算された後の合算金額が預り金額となり、この預り金額を売上金額と比較する。
【００４１】
そして、預り金額が売上金額以上の場合には、ステップＳＡ５の処理によりその差額が更新されたカード残額としてプリペイドカード４に記録される。
【００４２】
よって、プリペイドカードには、現金計数機３への投入金額が加算された後のカード残額から売上金額が減算されることになるため、プリペイドカード４には現金計数機３への投入金額がチャージされたのと同じことになる。
【００４３】
したがって、客は買い物の精算時に所持している貨幣、特に硬貨を現金計数機３に投入すれば、余分な硬貨をプリペイドカードにチャージして一掃することができる。そして、買い物時にチャージできるためにチャージを手軽に行える。また、店舗にとっても釣り銭硬貨の準備増やすことができる利点がある。よって、多くの小売店舗で用いられている現金計数機を利用して、プリペイドカードへのチャージを簡単に行うことができる。
【００４４】
［第２の実施形態］
図５は、電子マネーカードをプリペイドカードとして用いるプリペイドカードシステムの構成の一例を示している。同図に示されるように、本プリペイドカードシステム２００は、第１の実施態様でのプリペイドカードシステム１００で説明したのと同様の、電子式キャッシュレジスタ（ＥＣＲ）１と現金計数機３とが用いられるが、このシステムでは電子マネー決済モジュール７が使用される。
【００４５】
電子マネー決済モジュール７は、ＣＰＵ３５、ＲＯＭ３６、ＲＡＭ３７、通信インターフェース３８、電子マネーカード８と通信を行うリーダライタ３９などがバスラインで接続されて構成されている。
【００４６】
ＣＰＵ３５は、所定のプログラムに従って情報処理を行うほか、売上金額を電子マネーカード８に送信して、電子マネーカード８に記憶しているカードカード残額の更新処理を行わせる。
【００４７】
ＲＯＭ３６は、電子マネー決済モジュール７を動作させるための基本的なプログラムやパラメータなどを記憶した読み出し専用メモリである。
【００４８】
ＲＡＭ３７は、ＣＰＵ３５のワーキングメモリを提供するなどの随時書き込み読み出し可能なメモリである。
【００４９】
通信インターフェース３８は、店舗内のネットワークを介してＥＣＲ１に接続されている。
【００５０】
リーダライタ３９は、アンテナを内蔵しており、電子マネーカード８と近距離無線通信を行う。リーダライタ３９は、ＥＣＲ１の近辺に設置され、カード保有者が購入商品の精算を行うときに、電子マネーカード８をリーダライタ３９に近接させることができるようになっている。
【００５１】
電子マネーカード８は、ＣＰＵ４０、高周波回路４１、アンテナ４２、ＲＯＭ４３、ＲＡＭ４４、ＥＰＲＯＭ４５などを備えて、貨幣価値の残額を記憶したプリペイドカードとして機能する。
【００５２】
ＣＰＵ４０は、ＲＯＭ４３に記憶されている各種プログラムに従って情報処理を行う中央処理装置であり、決済処理やチャージなど、記憶されている残額を更新する残額変更処理を行う。
【００５３】
ＣＰＵ４０は、高周波回路４１及びアンテナ４２を介して、電子マネー決済モジュール７のリーダライタ３９と近距離の無線通信を行うことができる。
【００５４】
アンテナ４２は、電子マネー決済モジュール７のリーダライタ３９に内蔵されたアンテナと電波による送受信を行うためのアンテナであり、各種情報の送受信を行うほか、リーダライタ３９からの電波により汎用ＩＣモジュール２５を駆動するための電力を発電する。
【００５５】
高周波回路４１は、リーダライタ３９からアンテナ４２に送信されてくる高周波をデジタル信号に変換してＣＰＵ４０に出力したり、又はＣＰＵ４０が出力したデジタル信号を高周波に変換してアンテナ４２からリーダライタ３９に送出したりする。
【００５６】
ＲＯＭ４３は、電子マネーカード８を機能させるための基本的なプログラムやパラメータ、データなどを記憶した読み出し専用メモリである。
【００５７】
ＲＡＭ４４は、ＣＰＵ４０が情報処理を行う際のワーキングメモリを提供する随時書き込み読み出し可能なメモリである。
【００５８】
ＥＰＲＯＭ４５は、情報の書込消去が可能なＲＯＭであって、ＥＰＲＯＭ４５に記憶してある情報は、電子マネーカード８への電力の供給が無い場合でも保たれる。ＥＰＲＯＭ４５には、カードカード残額やＩＤ情報である電子マネー番号などの各種データが格納されている。
【００５９】
上記構成のプリペイドカードシステム２００において、買い物での精算時に電子マネーカード８を用いて精算するときのＥＣＲ１、電子マネー決済モジュール７及び電子マネーカード８の動作の流れを図６のフローチャートに基づいて説明する。
【００６０】
ＥＣＲ１での精算時に、顧客が電子マネー決済モジュール７のリーダライタ３９に近づけると、電子マネー決済モジュール７は、電子マネーカード８にカード残額の送信を要求し（ステップＳＢ１）、電子マネーカード８はカード残額を電子マネー決済モジュール７に返送する（ステップＳＢ２）。そして、電子マネー決済モジュール７は、受け取ったカード残額をＥＣＲ１に転送する（ステップＳＢ３）。
【００６１】
そして、ＥＣＲ１は、上記したチャージ指令の有無を判別し、無の場合には（ステップＳＢ４の「ＮＯ」）、送信されてきたカード残額を顧客からの預り金額として、この預り金額と当該顧客への売上金額とを比較する（ステップＳＢ６）。
【００６２】
預り金額が売上金額以上の場合には、売上金額を電子マネー決済モジュール７に送信する（ステップＳＢ８）。しかし、ＥＣＲ１は、預り金額が売上金額未満の場合には、当該電子マネーカード８での精算は不能であることを報知する（ステップＳＢ７）。
【００６３】
電子マネー決済モジュール７は、売上金額が送信されてきたときには、この売上金額を電子マネーカード８へ転送する（ステップＳＢ９）。これにより、電子マネーカード８は、受け取った売上金額をカード残額から減算し、減算後の更新されたカード残額をＥＰＲＯＭに書き込みカード残額を更新する（ステップＳＢ１０）。したがって、本プリペイドカードシステム２００では、預り金額と売上金額との差額を演算する精算手段の機能は電子マネーカード８で実行している。尚、預り金額と売上金額との差額を演算する精算手段の機能は、プリペイドカードシステム１００と同様にＥＣＲ１に持たせてもよい。
【００６４】
そして、精算完了信号をＥＣＲ１に送信し（ステップＳＢ１１）、決済完了信号を受けたＥＣＲ１は精算完了を報知する（ステップＳＢ１２）。
【００６５】
一方、精算時に顧客が電子マネーカード８での精算と同時にチャージを希望したときには、オペレータがＥＣＲ１に所定のキー操作を行う。ＥＣＲ１は、このキー操作によりチャージ指令が発生していると（ステップＳＢ４の「ＹＥＳ」）、現金計数機３からの投入金額情報の入力を待機して、投入金額情報が入力されると、送られてきたカード残額に投入金額情報を加算する（ステップＳＢ５）。よって、この場合、送られてきたカード残額と投入金額との合計金額が客からの預り金額となる。
【００６６】
ステップＳＢ６の処理においては、カード残額と投入金額との合計金額である預り金額と売上金額との比較が行われる。そして、預り金額が売上金額以上であることをステップＳＢ８で判別すると、ステップＳＢ１０でのカード残額の更新処理を行うことで、現金計数機３への投入金額がカードカード残額にチャージされることになる。
【００６７】
以上、詳述した本発明に係わるプリペイドカードシステムは、現金計数機３を用いて、精算時に客が現金計数機３に現金を投入する投入金額をカード残額と合計して、客からの預り金額とすることにより、精算後にプリペイドカードに更新された残額に、この投入金額が反映させることで、プリペイドカードへの金額チャージを可能としている。したがって、チャージ機が存在しない場所においても、手軽にプリペイドカードへの金額チャージが行える。
【符号の説明】
【００６８】
１    電子式キャッシュレジスタ（売上演算手段、預り金演算手段、精算手段）
３    現金計数機
４    プリペイドカード
８    電子マネーカード（プリペイドカード）
【図１】
2017129907.tif 000003
【図２】
2017129907.tif 000004
【図３】
2017129907.tif 000005
【図４】
2017129907.tif 000006
【図５】
2017129907.tif 000007
【図６】
2017129907.tif 000008